(57)【特許請求の範囲】
【請求項１】
複数のホログラムのうち、所定の組み合わせによる半数のホログラムのみが破壊又は消去されることによって得られる識別情報が記録されたデータ記録領域が形成されているカード型光記録媒体の前記データ記録領域に単色光を照射し、前記複数のホログラムを再生させて画像認識することにより前記識別情報の真正を判定し、
真正であると判定された場合は、あらかじめデータベースに登録されている個人情報もしくは新規に登録する個人情報に前記再生された識別情報を付加して前記データベースに登録すると共に、
前記データベースに登録される個人情報の少なくとも一部を画像化して前記カード型光記録媒体に印刷することを特徴とするカード発行システム。
【請求項２】
複数のホログラムのうち、所定の組み合わせによる半数のホログラムのみが破壊又は消去されることによって得られる識別情報が記録された第１のデータ記録領域と、ホログラムが破壊又は消去されることによって追記録可能な第２のデータ記録領域とがそれぞれ形成されているカード型光記録媒体の前記第１のデータ記録領域に単色光を照射し、前記複数のホログラムを再生させて画像認識することにより前記識別情報の真正を判定し、
真正であると判定された場合は、あらかじめデータベースに登録されている個人情報もしくは新規に登録する個人情報に前記再生された識別情報を付加して前記データベースに登録すると共に、
前記第２のデータ記録領域にデータベース検索情報を記録し、
前記データベースに登録される個人情報の少なくとも一部を画像化して前記カード型光記録媒体に印刷することを特徴とするカード発行システム。
【請求項３】
複数のホログラムのうち、所定の組み合わせによる半数のホログラムのみが破壊又は消去されることによって得られる識別情報が記録された第１のデータ記録領域と、書き換え可能な第２のデータ記録領域とがそれぞれ形成されているカード型光記録媒体の前記第１のデータ記録領域に単色光を照射し、前記複数のホログラムを再生させて画像認識することにより前記識別情報の真正を判定し、
真正であると判定された場合は、前記第２のデータ記録領域に前記再生された識別情報と個人情報とを記録し、
前記個人情報の少なくとも一部を画像化して前記カード型光記録媒体に印刷することを特徴とするカード発行システム。
【発明の詳細な説明】
【０００１】
【発明の属する技術分野】
本発明は、個人ＩＤカードとして使用可能なカード型光記録媒体を発行するカード発行システムに関するものである。
【０００２】
【従来の技術】
従来より、個人識別情報を記録したＩＣチップや磁気記録領域を設けたカード型の記録媒体に顔写真を貼り付けると共に氏名などを記載した個人用ＩＤカードが実用化されている。
【０００３】
この個人用ＩＤカードは、社員証や通行証などとして使用され、本人の認証を行うものであるため、顔写真の張り替えを困難にすると共に、ＩＣチップや磁気記録領域に記録されている個人識別情報も偽造されない様にする必要がある。
【０００４】
【発明が解決しようとする課題】
しかしながら、ＩＣチップや磁気記録領域は基本的に書き換えることが可能であり、偽造を完全に防ぐという点で課題があった。
【０００５】
そこで本発明は、セキュリティ性を高くするために、不可逆性を有しているので、新しい情報の追記録は可能だが情報の書き換えは不可能であるホログラムを個人用ＩＤカードに用いている。そして、このような個人用ＩＤカードを発行するカード発行システムを提供することを目的とする。
【０００６】
【課題を解決するための手段】
上記目的を達成するための手段として、以下に示すカード発行システムを提供しようとするものである。
【０００７】
１．複数のホログラムのうち、所定の組み合わせによる半数のホログラムのみが破壊又は消去されることによって得られる識別情報が記録されたデータ記録領域が形成されているカード型光記録媒体の前記データ記録領域に単色光を照射し、前記複数のホログラムを再生させて画像認識することにより前記識別情報の真正を判定し、真正であると判定された場合は、あらかじめデータベースに登録されている個人情報もしくは新規に登録する個人情報に前記再生された識別情報を付加して前記データベースに登録すると共に、前記データベースに登録される個人情報の少なくとも一部を画像化して前記カード型光記録媒体に印刷することを特徴とするカード発行システム。
【０００８】
２．複数のホログラムのうち、所定の組み合わせによる半数のホログラムのみが破壊又は消去されることによって得られる識別情報が記録された第１のデータ記録領域と、ホログラムが破壊又は消去されることによって追記録可能な第２のデータ記録領域とがそれぞれ形成されているカード型光記録媒体の前記第１のデータ記録領域に単色光を照射し、前記複数のホログラムを再生させて画像認識することにより前記識別情報の真正を判定し、真正であると判定された場合は、あらかじめデータベースに登録されている個人情報もしくは新規に登録する個人情報に前記再生された識別情報を付加して前記データベースに登録すると共に、前記第２のデータ記録領域にデータベース検索情報を記録し、前記データベースに登録される個人情報の少なくとも一部を画像化して前記カード型光記録媒体に印刷することを特徴とするカード発行システム。
【０００９】
３．複数のホログラムのうち、所定の組み合わせによる半数のホログラムのみが破壊又は消去されることによって得られる識別情報が記録された第１のデータ記録領域と、書き換え可能な第２のデータ記録領域とがそれぞれ形成されているカード型光記録媒体の前記第１のデータ記録領域に単色光を照射し、前記複数のホログラムを再生させて画像認識することにより前記識別情報の真正を判定し、真正であると判定された場合は、前記第２のデータ記録領域に前記再生された識別情報と個人情報とを記録し、前記個人情報の少なくとも一部を画像化して前記カード型光記録媒体に印刷することを特徴とするカード発行システム。
【００１３】
【発明の実施の形態】
本発明のカード発行システムは、複数のホログラムにより１枚１枚異なるカードＩＤ（識別情報）が記録されているデータ記録領域を備えた生カードに対して、個人情報などのデータを記録すると共に個人の顔写真や氏名などの情報を印刷して個人用ＩＤカードを発行するものである。また、必要に応じてＩＣチップ（及び／または磁気記録領域）を共に設けた生カードに対しても、同様にして個人用ＩＤカードを発行するものである。
【００１４】
まず、最初に生カードの製造方法について図面と共に説明する。ここではカードＩＤ（識別情報）を記録するために、最初に全てのカード基板に対して複数のホログラム（ＣＧＨ：computer generated hologram）を形成する。この複数のホログラムは、画像や文字をホログラムとして表し、そのデータを用いて電子ビーム露光装置を駆動し、電子ビームにより記録媒体にホログラムの干渉縞を精密に描画し、この記録媒体をエッチング処理して光記録媒体の原盤を作製し、光ディスクなどと同様にして各カード基板に対して複数のホログラムを形成するようにしている。
【００１５】
図１は、本発明に係るカード型の光記録媒体の生カードに設けるＣＧＨの製造方法の好ましい実施例を模式的に示すブロック図である。同図に示される製造方法により得られるの最終的な形態は、カード型光記録媒体としての個人用ＩＤカードに使用される生カード２６である。この生カード２６には複数のＣＧＨ２８が設けられ、配列されている。いま、このＣＧＨ２８の１つ１つに文字の情報を記録するものとすると、文字情報の信号が入力端子ＩＮ１に供給され、画像信号化回路１０に入力される。画像信号化回路１０は入力されたデジタル信号のコード情報で表された文字を２次元画像のドットパターンの画像信号（図２の入力データ）に変換する。
【００１６】
この画像信号はスイッチ１２またはマルチプレクサを介して数値演算装置１４に供給される。数値演算装置１４は所定のアルゴリズムを用いて２次元画像のドットパターンの画像信号から干渉光を照射することなくホログラムの干渉縞パターン（ホログラフィー干渉図形）を得るための数値を得る。図２はこの様子を模式的に示している。数値演算装置としては好ましくは高速演算の可能なコンピュータを用いる。２次元画像データからそれに対応するホログラム干渉縞、すなわち波面の形を演算により導き出すことはいわゆるＣＧＨ（コンピュータ・ジェネレイテッド・ホログラム）として知られている。
【００１７】
なお、数値演算装置１４は後述の描画装置である電子ビーム露光装置１８の解像度に応じた座標データを出力するよう構成されている。また、描画を実際に行う前に、数値演算で得られた座標データをフィードバックして入力データと比較して、両者間の誤差を低減すべく複数回の再計算を行う。
【００１８】
数値演算装置１４の出力信号はエンコーダ１６にて所定のフォーマットの信号とされ、電子ビーム露光装置１８に入力される。電子ビーム露光装置１８は本来ＩＣやＬＳＩを製造するときにその回路配置パターンを描画するために用いられるものであり、ここでは図２に示した干渉縞のパターン（出力データ）を１次記録媒体２０上に描画するために用いられる。なお、この１次記録媒体２０はこの製造方法の最終製品である生カード２６と識別するため１次記録媒体２０という。１次記録媒体２０としては、図３のｂに示すようにシリコン原盤やガラスなどの基板３０の上に被露光媒体としての感光性樹脂であるフォトレジスト３２を塗付したものを用いる。１次記録媒体２０はステッパ２２（ステージコントローラ）に取り付けられ、ステッパ２２は電子ビーム露光装置１８からの信号により電子ビーム３４に垂直な面上のＸ−Ｙの２方向に移動可能である。なお、電子ビームによる描画では、従来の光記録媒体の製造に用いられるレーザビームによる描画と比較すると、極めて繊細かつ緻密なパターンを描画することが可能であり、ホログラムの干渉縞のパターンの描画に適しているといえる。
【００１９】
１次記録媒体２０をフォトマスク原盤として加工し、この１次記録媒体をフォトマスク原盤より光露光による複数の２次記録媒体を作製し、この２次記録媒体を原盤として用いて光ディスク製造工程を経て最終製品である生カード２６を製造することも可能である。
【００２０】
いま、英文字（数字を含む）で３００文字からなるデータを個人用ＩＤカードに記録するものとすると、入力端子ＩＮ１からシリアルに入力される文字列のデータが画像信号化回路１０にて順次画像信号化され、数値演算装置１４にて所定のアルゴリズムにて数値演算処理が行われ、エンコーダ１６にて所定フォーマットのデータとされて電子ビーム露光装置１８に供給され、電子ビーム３４が偏向されて、１次記録媒体２０上に描画が行われる。このとき、電子ビーム露光装置１８はステッパ２２を制御して３００個のＣＧＨ２８が３列で、各列に１００個の記録エリアが並ぶよう電子ビーム３４と垂直な面上のＸ−Ｙ方向に１次記録媒体２０を移動させる。
【００２１】
図４は完成した生カード２６の一部拡大平面図であり、３列のＣＧＨ２８が配列されている様子が示されている。例えば各ＣＧＨ２８は２５０μｍ角（Ａ＝２５０μｍ）であり、隣り合うＣＧＨ２８同士の間隔も２５０μｍである（Ｂ＝Ｃ＝２５０μｍ）。なお、図１及び図４に示した例では、ＣＧＨ２８を３００個設けているが、例えば各ＣＧＨ２８の大きさや隣り合うＣＧＨ２８同士の間隔を１００μｍやそれ以下にすることにより、１０００個以上設けることが可能であり、より小さな領域でより多くのデータを記憶させることができる。
【００２２】
１次記録媒体２０への記録が終了すると、１次記録媒体２０はステッパ２２から取り外され、周知の光記録媒体（光ディスク）製造工程２４を経て最終製品である生カード２６を得ることができる。図３は電子ビーム露光装置１８による１次記録媒体２０への電子ビーム３４の照射と、その後のエッチング工程などを含む光ディスク製造工程を示す図であり、図中ａ〜ｇの順で工程が進む。図３中、３６はフォトレジスト３２にできた凹凸面上に生成された金属メッキ層であり、ｅに示す状態から基板３０が取り除かれ、ｆに示すようにプレス部材３８にスタンパ３６Ａとして取り付けられる。４０は光記録媒体（１次記録媒体及び生カード）本体４０Ａを構成するＰＣ樹脂であり、溶融した状態でプレス基台４２から射出され、ｇに示すようにプレス部材３８がプレス基台４２に相対的に接近するプレス工程により成型されてスタンパ３６Ａの凹凸に応じた凹凸が形成される。その後、図示省略の保護層（アルミ膜）が光記録媒体本体４０Ａの凹凸面上に施される（アルミスパッタ）。なお、スタンパ３６Ａは図３の工程ｅから直接製造せず、まずマスターディスクを製造し、それから複数のスタンパ３６Ａを作るようにすることもでき、大量に光記録媒体を製造する場合には複数のスタンパ３６Ａを製造する必要がある。
【００２３】
上記説明は図１の入力端子ＩＮ１に文字信号が入力された場合のものであったが、入力端子ＩＮ２に画像信号を与えるようにしても良い。この場合画像信号はスイッチ１２を介して数値演算装置１４に供給され、前述の場合と同様に数値演算が実行され、ホログラムの干渉縞のデータが得られ、これを描画してできた光記録媒体としての生カード２６にレーザビームなどを照射することにより、元の画像を再生することができる。
【００２４】
そして、この生カード２６及びその後の工程を経て製造される個人用ＩＤカード５１は、所定のリーダ装置にかけることにより、その記録情報を読み取ることができる。このとき、生カード２６を所定方向に送り、コヒーレント光線である参照光としてのレーザビームなどをＣＧＨ２８に照射すると、記録されている元の２次元画像が投影される。すなわち、図２に示した文字「Ａ」が記録されていると、このドットパターンが所定位置に映し出されるので、これをＣＣＤ撮像素子などの撮像手段にて撮像して解読することにより元の文字情報を再生することができる。
【００２５】
このようにして例えば一つのスタンパ３６Ａから製造された生カード２６はＣＧＨ２８からなる同じフォーマットのデータ記憶領域５２を有している。そこで、次の工程で、各生カード２６を１枚１枚識別可能にする識別信号をこのデータ記憶領域５２に記録する。その記録装置の概要を図５に示す。
【００２６】
この図５に示す光記録媒体記録装置は、レーザ発光装置（単色光発光装置）５６、ハーフミラー５８、撮像素子としてのＣＣＤ５０、サーマルヘッド５４を有している。そして、生カード２６は、図示せぬ光カード搬送装置により、所定の書き込み位置に水平に搬送され、記録（ＣＧＨ２８の破壊）が終了したときは、逆方向に駆動して生カード２６を排出する。
【００２７】
ここで、レーザ発光装置５６の光軸とＣＣＤ５０の光軸が略直交し、かつこれらの光軸を含む面が生カード２６のデータ記録領域５２の面と略垂直となり、かつ搬送手段による搬送方向と略平行となるように配置されている。また、生カード２６が所定の記録位置に装填されたとき、そのデータ記録領域５２とサーマルヘッド５４の書き込み方向軸とＣＣＤ５０の光軸が略同一軸上に配置されるようサーマルヘッド５４とＣＣＤ５０が配されている。
【００２８】
そして、識別情報は、サーマルヘッド５４の発熱位置とデータ記録領域５２を一致させた状態で記録する必要があるので、レーザビームの反射光を受光するＣＣＤ５０の出力信号を用い、ＣＧＨ２８の位置を確認しながら記録する。サーマルヘッド５４の発熱抵抗対のピッチとＣＧＨ２８のピッチを一致させ、さらにサーマルヘッド５４の発熱抵抗対の個数とＣＧＨ２８の個数を同一にすれば、記録時の制御が簡便となり有効である。ここで、複数のＣＧＨ２８に同時に記録したい場合は、ＣＧＨ２８の先頭位置をレーザ発光装置５６のレーザビームの照射位置と一致させ、所望のＣＧＨ２８に対向している発熱体のみを発熱させれば、非常に短い時間でＣＧＨ２８の記録を行うことができる。このようにして、個々の生カード２６に対して異なる識別情報を記録するようにＣＧＨ２８を破壊し、その後保護膜を形成する。
【００２９】
また、図１１に示すように、記録する手段として上記したサーマルヘッド５４の代わりにＹＡＧ、エキシマ、ＣＯ2レーザ６１によるＣＧＨ２８の溶融または金属反射膜の除去、もしくはインパクトハンマー６２による物理的な破壊によって行っても良い。このインパクトハンマー６２による記録手段は例えば特開平１１−１２０２９９号公報に開示されている。そして、サーマルヘッド５４によるＣＧＨ２８の破壊の場合には破壊の後に保護膜を形成する必要があるが、ＹＡＧ、エキシマ、ＣＯ2レーザ６１によるＣＧＨ２８の溶融または金属反射膜の除去、もしくはインパクトハンマー６２による物理的な破壊の場合には、保護膜、さらには印刷が施された後でも可能である。特に、後述するカードの発行所でユーザの個人情報を記録する場合は、保護膜の形成された生カード２６に対して記録を行う態様も考えられるので、インパクトハンマーによる記録手段を備えたカード発行システムが望ましい。
【００３０】
図７は光記録媒体（個人用ＩＤカード）５１を発行する際に、個々のカードに固有の識別情報（カードを１枚１枚特定することができる情報）をＣＧＨ２８の列に記録する方法の例を説明するための図である。ここで、ＣＧＨ２８の列に情報を記録するという意味は、ＣＧＨ２８の列に含まれるＣＧＨ２８のうちの所定数を破壊して、その破壊したＣＧＨ２８の位置（または破壊されていないＣＧＨ２８の位置）によって異なる意味を持たせるということである。
【００３１】
具体的にどの位置のＣＧＨ２８を破壊するかは、コンビネーションにより決定する。コンビネーション破壊は、例えば１０個のＣＧＨ２８のうち、必ず５個を破壊するようにした場合には、図７に示す様に、10Ｃ5＝２５２通りの意味を持つことができる。そして、この場合には、どの組み合わせにおいても破壊したＣＧＨ２８の数と非破壊のＣＧＨ２８の数は共に必ず５個となるので、偽造するためにこの組み合わせを書き変えようとして他のＣＧＨ２８も破壊した場合には、非破壊のＣＧＨ２８の数が５個よりも少なくなり、ＣＧＨ２８の示すデータは意味を持たなくなる。このように、ＣＧＨ２８は不可逆性なメモリであり、また、破壊されたＣＧＨ２８を再現することは不可能なので、一度ＣＧＨに情報を記録した後は、書き換えを行うことはできない。仮に同じＣＧＨ２８の情報を再現しようとする場合には、何らかの方法でＣＧＨ２８のレプリカをとったり、内容を解析しなければならず、その方法は複雑である。したがって、このＣＧＨ２８の列に情報を記録することは、偽造などに対し、極めて有効な手段となる。
【００３２】
そして、例えばＣＧＨ２８が３０個並んだ列（複数列にしてもかまわない）の場合、30Ｃ15＝約１．５億通りの表現を行うことができ、日本の人口分の異なる情報を持つカード１を発行することが可能となる。さらに、５０個のＣＧＨ２８を配置した場合には、50Ｃ25＝約１２６兆通りの表現が可能であり、全世界の人口以上の数のカード１にユニークな番号を付与することが十分可能となる。また、このようにサーマルヘッド５４、ＹＡＧレーザ、エキシマレーザ、ＣＯ2レーザ等のレーザ６１、インパクトハンマー６２等を用いて生カード２６のＣＧＨ２８にデータを記録することは、個人用ＩＤカード５１の発行よりも前の段階（製造時）に行うので、記録装置そのものは工場に設置しておけば良い。したがって、個人用ＩＤカード５１の発行や認証を行う場所では、ＣＧＨ２８を読み取るだけで記録手段を持たない光記録媒体再生装置のみを設置するだけでも良い。但し、後述するように、複数のＣＧＨ２８が設けられたデータ記憶領域５２に追記記録する部分（第２の記録部）をあらかじめ用意しておき、そこに情報を追記するカード発行システムの場合には、カード発行所でもＣＧＨ２８へのデータ記録を可能にする必要がある。この場合、識別情報の記録された部分（第１の記録部）には、読み取りアクセスのみを許可し、書き込みはできない様に設定しておけば良い。
【００３３】
以上の様にして、データ記憶領域５２に識別情報の記録された各生カード２６に対して、図８に示すように、さらに、ＩＣモジュール５３を取り付け（図８（ａ）参照）、このＩＣモジュール５３のＩＣデータを初期化し（図８（ｂ））、裏面及び表面に所望の印刷を施すことにより、生カード２６が完成する（図８（ｃ））。
【００３４】
なお、この印刷工程は省略しても良いが、生カード２６の基板は透明なポリカーボネート樹脂を使用しているので、表面に何らかの色（白でも可）を印刷した方が視覚的な美観が向上し、また発行時に印刷する画像の視覚的な濃度の向上に効果がある。そして、表面に印刷する場合は、データ記憶領域５２が光学的に透過状態を保つように少なくともその部分を透明にしておく（色を印刷しない）必要があり、ＩＣモジュール５３を設けた部分は、絶縁しない様にする必要がある。そして、オフセット印刷の場合はＩＣモジュール５３を設けた部分を少し凹部にしてその部分が印刷されないようにしておくことにより、絶縁状態になるのを防止することができる。
【００３５】
また、生カード２６の基板として顔料（例えば白色）を混入したポリカーボネート樹脂を使用することも可能である。この場合、データ記憶領域５２を光学的に読み取りを可能とするために、生カード２６のデータ記憶領域５２部分の表面にＣＧＨ２８を形成し、その上にアルミ等の反射膜をスパッタして反射型ＣＧＨとして構成する。このとき、ＣＧＨ２８の再生データを構成する凹凸の段差に対して反射膜は非常に薄いものであるので、ＣＧＨ２８の凹凸が反射膜上にそのまま現れる。したがって、この反射型ＣＧＨに対して表面側(反射膜側)から単色光を照射して、データ記憶領域５２に記録されているデータを読み出すことが可能になる。なお、発行時に画像を表面に印刷する場合は、データ記憶領域５２の反射型ＣＧＨに対して光学的な透過状態を保つために、少なくともその部分は印刷しないようにする。
【００３６】
そして、完成した生カード２６は各カード発行所のカード発行システム１に組み込まれ、個人情報の記録と顔写真などの印刷が行われて個人用ＩＤカード５１として発行されることになる。
【００３７】
本発明のカード発行システムを含む全体システムの構成例を図９に示す。カード発行システム１は生カード２６に顔写真情報、氏名、性別、生年月日、血液型、等の個人情報を記録する共に顔写真や氏名などの情報を視覚的に分かるように印刷するものである。このとき、個人情報や顔画像情報をカード発行システム１側で登録する場合にはその内容をデータベース２にも登録し、既にデータベース２に登録済みの個人情報を使用する場合にはデータベース２からカード発行システム１にその情報を受け取る。そして、いずれの場合にも生カード２６のデータ記憶領域５２に記録されている識別情報をカード発行システム１で読み取り、この識別情報をデータベース２に送信して、個人情報と対応づけて登録する。
【００３８】
そして、認証する場合には、認証システム３から識別情報を含むカード情報をデータベース２に送信し、識別情報に対応する個人情報を認証システム３に送信することにより、認証システム３での認証が可能になる。
【００３９】
次に、カード発行システム１の構成を図１０に示して、以下に説明する。
【００４０】
まず、ＣＧＨ読み取り部４にて生カード２６のデータ記憶領域５２に形成されているＣＧＨ２８の画像を再生する。具体的には、半導体レーザ発光装置５６などの単色光を各ＣＧＨ２８に順次または同時に照射して、各ＣＧＨ２８から回折出力される１次回折光により投影される像をＣＣＤなどの受光素子（撮像手段）にて受光することによりＣＧＨ２８の再生画像を得ることができる。そして、ＣＣＤで光電変換された再生画像のデータは、ＣＧＨ認識部５に供給される。
【００４１】
ＣＧＨ認識部５では、入力された再生画像の示す文字や画像及び再生できない（破壊された）箇所から、生カード２６の真偽と識別情報及び必要に応じてＩＣモジュール５３の許可情報を取得する。そして、生カード２６が真正である場合にはその識別情報（及び許可情報）を情報処理部６へ供給する。
【００４２】
そして、情報処理部６では、カード所有者となる人の氏名、性別、生年月日、血液型、等の個人情報を入力すると共にディジタルカメラやスキャナ（写真入力）などの画像入力手段９によりその人の顔や指紋画像を入力し、これらのデータを識別情報に対応させてデータベース２に登録する。また、ＩＣモジュール５３を搭載している場合は、ＩＣモジュール５３の許可情報によってＩＣモジュール５３にアクセスして、データベースの検索情報またはカードの識別情報、もしくは個人情報のうちの一部または全部をＩＣリードライタ８に出力して、ＩＣモジュール５３に書き込む。さらに、個人情報のうちの一部（例えば氏名など）と顔画像とを印刷データとしてカラープリンタ７やカードプリンタ等に出力して生カード２６の表面に印刷してその上に保護膜を形成することにより、個人用ＩＤカード５１を発行することができる。
【００４３】
この生カード２６の表面への印刷及び保護膜の形成は、データ記憶領域５２が光学的に透過状態を保つように少なくともその部分を透明にしておく（色を印刷しない）必要があり、ＩＣモジュール５３を設けた部分は、絶縁しない様にする必要がある。オフセット印刷の場合はＩＣモジュール５３を設けた部分を少し凹部にしておくことにより、その部分が印刷されす、絶縁状態になるのを防止することができる。また、ＩＣモジュール５３の替わりもしくは追加して磁気記録領域を設けた場合も同様にして個人用ＩＤカード５１を発行することができる。
【００４４】
そして、このカード発行システム１は、ＣＧＨ読み取り部４、ＣＧＨ認識部５、情報処理部６、カラープリンタ７、ＩＣリードライタ８、画像入力手段９の一部もしくは全てを一体化したものとして構成しても、個々を分離して構成しても実現することができる。なお、ＣＧＨ読み取り部４とカラープリンタ７とを一体構成とすることは、生カード２６を途中で取出すことなく、個人用ＩＤカード５１を発行することができるので、非常に有益である。
【００４５】
さらに、この実施例では、カード発行システム１で個人情報を入力する構成としているが、あらかじめデータベース２に顔画像を含む個人情報が登録されている場合には、この個人情報を利用して個人用ＩＤカード５１を発行することも可能である。すなわち、図１０において、情報処理部６よりデータベースに登録されている個人情報をアクセスするための情報（カード保有者を特定する情報やアクセスキー情報等）を送信し、個人情報や顔画像情報を入手する共に、生カード２６の識別情報をデータベース２に送信して、個人情報に対応づけて登録する。そして、データベース２から入手した個人情報や顔画像情報を印刷データ及びＩＣデータとしてカラープリンタ７及びＩＣリードライタ８に出力することにより、個人用ＩＤカード５１を発行することができる。
【００４６】
そして、顔画像情報のみをカード発行システム１から入力し、他の個人情報をデータベース２から得るなど、具体的な情報の入力経路は適宜変更可能であり、また、ＩＣモジュール５３に記録したり、カードに印刷する個人情報の内容も適宜変更可能である。
【００４７】
そして、ＩＣモジュール５３や磁気記録領域を設けずに、ＣＧＨ２８だけのデータ記憶領域５２のみを有する個人用ＩＤカードとすることもできる。この場合は、個人情報は、データベース２だけに記憶しておき、データ記憶領域５２に記録されている識別情報で個人情報をアクセスするように構成しても良いし、また、データ記憶領域５２を識別情報が記憶されている部分（第１の記録部）と追記可能な部分（第２の記録部）とに分けておき、第２の記録部に含まれる複数のホログラムの一部を消去することにより、個人情報や顔、指紋画像情報を追記するようにしても良い。この場合は、記録された情報が変更不可能なので、新たなデータの追記と削除のみを行うことができる。
【００４８】
そして、このようにしてデータ記憶領域５２の第２の記録部に追記すると共にＩＣモジュール５３も設けて両方に記録するようにしても良い。
【００４９】
また、ＩＣモジュール５３と、ＣＧＨ２８で構成されるデータ記憶領域５２からなる個人用ＩＤカードとすることもできる。この場合は、カードの識別情報と共に個人情報をＩＣモジュール５３に記録しておくこともできる。
【００５０】
なお、データ記憶領域５２の第２の記録部やＩＣモジュール５３に顔、指紋画像情報を追記する場合には、画像データそのものではなく、顔、指紋の特徴点などをプロットしたデータなど、データ量の少ないものに加工することにより、十分記録可能となる。
【００５１】
【発明の効果】
本発明のカード発行システムは、不可逆性を有するホログラムを使用した個人用ＩＤカードを発行するので、セキュリティ性が高く、偽造が困難であるという効果がある。
【００５２】
また、その結果、本発明のカード発行システムで発行した個人用ＩＤカードは信頼性が高く、行政カードや入退出カード、社員証、高額チケット等様々な応用が可能になるという効果がある。
【図面の簡単な説明】
【図１】本発明に係るカード型の光記録媒体の生カードに設けるＣＧＨの製造方法の好ましい実施例を模式的に示すブロック図である。
【図２】２次元画像からホログラムの干渉縞パターンを得る手順を示す説明図である。
【図３】本発明に使用されるカード型の光記録媒体の生カードの製造工程を示す断面図である。
【図４】本発明に使用される生カードの一部拡大平面図である。
【図５】本発明に使用される生カードのデータ記憶領域に識別信号を記録する光記録媒体記録装置の概略構成を示す図である。
【図６】図５の光記録媒体記録装置のサーマルヘッドの例を示す構成図である。
【図７】光記録媒体に固有の識別情報をＣＧＨの列に記録する方法の例を説明するための図である。
【図８】ＩＣモジュールを有する生カードの製造方法を説明するための図である。
【図９】本発明のカード発行システムを含む全体システムの概略構成例を示すブロック図である。
【図１０】本発明のカード発行システムの概略構成例を示すブロック図である。
【図１１】本発明に使用される生カードのデータ記憶領域に識別情報を記録する他の光記録媒体記録装置の概略構成を示す図である。
【符号の説明】
１  カード発行システム
２  データベース
３  認証システム
４  ＣＧＨ読み取り部
５  ＣＧＨ認識部
６  情報処理部
７  カラープリンタ
８  ＩＣリードライタ
９  画像入力手段
１０  画像信号化回路
１２  スイッチ
１４  数値演算装置
１８  電子ビーム露光装置
２０  １次記録媒体
２２  ステッパ
２４  光記録媒体（光ディスク）製造工程
２６  生カード
２８  ＣＧＨ
５１  個人用ＩＤカード
５２  データ記憶領域
５３  ＩＣモジュール
【図１】
0003724305.tif 000002
【図２】
0003724305.tif 000003
【図３】
0003724305.tif 000004
【図４】
0003724305.tif 000005
【図５】
0003724305.tif 000006
【図６】
0003724305.tif 000007
【図７】
0003724305.tif 000008
【図８】
0003724305.tif 000009
【図９】
0003724305.tif 000010
【図１０】
0003724305.tif 000011
【図１１】
0003724305.tif 000012